(57)【要約】      （修正有）【課題】装置を遠隔操作する操作機に予め設定された装置の端末アドレスを利用して、装置とＮＦＣペアリング端末との間で無線通信を開始する装置、操作機および制御プログラムを提供する。【解決手段】携帯端末３は、電子機器２を遠隔操作する遠隔操作装置１に予め設定された電子機器２の端末アドレスを、遠隔操作装置１からＮＦＣペアリングにより取得する。携帯端末３は、取得した電子機器２の端末アドレスを利用して、電子機器２と無線通信を開始する無線通信手段を備える。【選択図】図１
2020156075.tif 000002
【特許請求の範囲】
【請求項１】
前記装置を遠隔操作する操作機に予め設定され、前記操作機からＮＦＣペアリングにより取得した前記装置の端末アドレスを利用して、前記装置との無線通信を開始するＮＦＣペアリング端末との無線通信手段を備えることを特徴とする装置。
【請求項２】
前記装置を遠隔操作する操作機に予め設定され、前記操作機からＮＦＣペアリングにより取得した前記装置の端末アドレスを利用して、前記装置との無線通信を開始するＮＦＣペアリング端末とのＮＦＣペアリング手段を備えることを特徴とする操作機。
【請求項３】
コンピュータを、
前記装置を遠隔操作する操作機に予め設定され、前記操作機からＮＦＣペアリングにより取得した前記装置の端末アドレスを利用して、前記装置との無線通信を開始するＮＦＣペアリング端末の前記無線通信の開始手段として機能させるための制御プログラム。
【発明の詳細な説明】
【技術分野】
【０００１】
本発明は、装置、操作機および制御プログラムに関する。
【背景技術】
【０００２】
従来、二者間通信開始方法が知られる。例えば、特許第５０２４９９８号公報に記載の技術は、携帯通信端末装置が、制御対象機器を制御するための信号コードを制御対象機器の制御操作と対応付けて取得する信号コード取得手段と、制御対象機器の制御のための信号コードを、遠隔制御リモコン装置に対して送信する制御手段と、を具備することを特徴とし、携帯通信端末装置は、遠隔制御リモコン装置に信号コードを送り、遠隔制御リモコン装置は、信号コードを制御対象機器に転送する技術が開示されている。
【先行技術文献】
【特許文献】
【０００３】
【特許文献１】特許第５０２４９９８号公報
【発明の概要】
【発明が解決しようとする課題】
【０００４】
ところで、上記の携帯通信端末装置は、操作機に予め設定された装置の端末アドレスを利用して、装置と無線通信を開始することができないと言った問題があった。
【０００５】
そこで、本発明の目的は、操作機に予め設定された装置の端末アドレスを利用して、装置と無線通信を開始するＮＦＣペアリング端末を提供することができる装置、操作機および制御プログラムを提供することにある。
【課題を解決するための手段】
【０００６】
上記課題を解決するため本発明の装置は、前記装置を遠隔操作する操作機に予め設定され、前記操作機からＮＦＣペアリングにより取得した前記装置の端末アドレスを利用して、前記装置との無線通信を開始するＮＦＣペアリング端末との無線通信手段を備えることを特徴とする。
【発明の効果】
【０００７】
本発明によれば、装置、操作機および制御プログラムは、操作機に予め設定された装置の端末アドレスを利用して、装置と無線通信を開始するＮＦＣペアリング端末を提供することができる。
【図面の簡単な説明】
【０００８】
【図１】実施形態の遠隔操作装置システムの構成図の一例である。
【発明を実施するための形態】
【０００９】
以下、本発明の一実施の形態について詳細に説明する。
【００１０】
図１は実施形態の遠隔操作装置システムの構成図の一例である。例えば、遠隔操作装置システムは、（ａ）インターネット１０、遠隔操作装置１、電子機器２、携帯端末３および決済サーバ４から構成され、インターネット１０により構成される通信ネットワークに電子機器２および決済サーバ４が接続され、遠隔操作装置１が赤外線遠隔操作装置を構成し、送信する一方向の赤外線信号２０により電子機器２が遠隔操作され、携帯端末３がクレジットカード情報、電子マネー情報などの決済用記録媒体を構成する。
【００１１】
また、（ｂ）処理として、携帯端末３のＮＦＣペアリング部が遠隔操作装置１のＮＦＣペアリング部にかざされたことに応じて、近距離通信を行うＮＦＣペアリング３０が行われ、遠隔操作装置１がＮＦＣペアリング３０を介して電子機器２のＭＡＣアドレスＭａを携帯端末３に送信し（ステップＳ０１）、携帯端末３がＭＡＣアドレスＭａに該当する電子機器２とBluetooth（登録商標）などの無線通信２１を開始し（ステップＳ０２）、無線通信２１、電子機器２およびインターネット１０を介して、携帯端末３と決済サーバ４間で決済データの送受信が行われて決済処理が実施される。
【００１２】
遠隔操作装置１、電子機器２、携帯端末３、決済サーバ４などの装置は、ＣＰＵ、ＲＯＭ、ＲＡＭを有するコンピュータ部を備える。さらに、遠隔操作装置１は、赤外線信号送信部、ＮＦＣペアリング部、操作ボタン部などを備え、電子機器２は、赤外線信号受信部、無線通信部、ネットワーク通信部などを備え、携帯端末３は、記憶装置、無線通信部、ＮＦＣペアリング部などを備え、決済サーバ４は、記憶装置、ネットワーク通信部などを備える。遠隔操作装置１は、双方向無線により電子機器２の遠隔操作などを行う構成としてもよい。遠隔操作装置１と電子機器２は、例として、リモコン装置とテレビジョン、マウスとコンピュータなどが挙げられる。
【００１３】
上記の実施形態において、遠隔操作装置１と電子機器２の双方は、ＵＳＢ端子などを備え、双方が接続されることにより、電子機器２が遠隔操作装置１にＭＡＣアドレスＭａを記憶させる初期設定手段を備える。遠隔操作装置１は、利用者のボタン操作により、または、電子機器２の製造時にＭＡＣアドレスＭａを記憶させる初期設定手段を備える構成としてもよい。また、電源ボタンなどが押下された場合に、双方向無線などにより電子機器２からＭＡＣアドレスＭａを受信して記憶する初期設定手段を備える構成としてもよい。携帯端末３は、スマートフォンなどであって、遠隔操作装置１から電子機器２のメーカー・機種コードＭａ、遠隔操作信号コードなどを受信し、電子機器２に対する遠隔操作装置を構成してもよい。また、電子機器２からの要求を受信して、電子機器２が表示したＷｅｂページなどのコンテンツに対する文字入力手段、仮名・漢字変換手段（インプットメソッド）、タッチパッド手段（カーソル操作など）、タッチインターフェース手段（タップ、スワイプ、スクロール、ピンチイン、ピンチアウトなど）を利用者に提供し、各手段の処理結果である入力された文字、変換後の漢字、タッチパッド・タッチインターフェースの操作情報を電子機器２に応答する構成としてもよい。
【００１４】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置と同等の作用および効果が得られる。
【００１５】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１６】
また、インターネット、ＬＡＮ等のネットワークシステムを介して制御プログラムをダウンロードし、インストールして実行するように構成することも可能である。
【符号の説明】
【００１７】
１…遠隔操作装置，２…電子機器，３…携帯端末，４…決済サーバ，１０…インターネット，２０…赤外線信号，２１…無線通信，３０…ＮＦＣペアリング，Ｍａ…ＭＡＣアドレス
【図１】
2020156075.tif 000003
【手続補正書】
【提出日】令和2年5月31日(2020.5.31)
【手続補正１】
【補正対象書類名】特許請求の範囲
【補正対象項目名】全文
【補正方法】変更
【補正の内容】
【特許請求の範囲】
【請求項１】
無線通信手段を有し、赤外線信号により遠隔操作される電子機器と、
前記電子機器の端末アドレスを事前に設定する第１手段を有し、前記電子機器を前記赤外線信号により遠隔操作する遠隔操作装置と、
前記遠隔操作装置から前記端末アドレスを取得する第２手段を有し、前記端末アドレスに該当する前記電子機器を無線通信により遠隔操作する携帯端末と、を備える、
システムに用いることを特徴とする電子機器。
【請求項２】
請求項１に記載のシステムに用いることを特徴とする遠隔操作装置。
【請求項３】
プロセッサを、
請求項１に記載のシステムに用いる前記第１手段または前記第２手段として機能させるための制御プログラム。
【手続補正２】
【補正対象書類名】明細書
【補正対象項目名】０００６
【補正方法】変更
【補正の内容】
【０００６】
上記課題を解決するため本発明のシステムにおいて、無線通信手段を有し、赤外線信号により遠隔操作される電子機器と、前記電子機器の端末アドレスを事前に設定する第１手段を有し、前記電子機器を前記赤外線信号により遠隔操作する遠隔操作装置と、前記遠隔操作装置から前記端末アドレスを取得する第２手段を有し、前記端末アドレスに該当する前記電子機器を無線通信により遠隔操作する携帯端末と、を備えることを特徴とする。
【手続補正３】
【補正対象書類名】明細書
【補正対象項目名】０００４
【補正方法】変更
【補正の内容】
【０００４】
ところで、上記の方法は、携帯端末が、遠隔操作装置から取得した端末アドレスに該当する電子機器を無線通信により遠隔操作することができないと言った問題があった。
【手続補正４】
【補正対象書類名】明細書
【補正対象項目名】０００５
【補正方法】変更
【補正の内容】
【０００５】
そこで、本発明の目的は、携帯端末が、遠隔操作装置から取得した端末アドレスに該当する電子機器を無線通信により遠隔操作することができるシステムを提供することにある。
【手続補正５】
【補正対象書類名】明細書
【補正対象項目名】０００７
【補正方法】変更
【補正の内容】
【０００７】
本発明によれば、システムは、携帯端末が、遠隔操作装置から取得した端末アドレスに該当する電子機器を無線通信により遠隔操作することができる。
【手続補正７】
【補正対象書類名】明細書
【補正対象項目名】０００１
【補正方法】変更
【補正の内容】
【０００１】
本発明は、電子機器、遠隔操作装置および制御プログラムに関する。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
無線通信手段を有する電子機器と、
前記電子機器の端末アドレスを設定する第１手段と、前記電子機器を赤外線信号により直接遠隔操作する第２手段と、を有する非携帯端末の遠隔操作装置と、
前記遠隔操作装置から前記端末アドレスを取得する第３手段と、前記端末アドレスに該当する前記電子機器を無線通信により遠隔操作する第４手段と、を有する携帯端末と、を備える、
システムに用いることを特徴とする電子機器。
【請求項２】
請求項１に記載のシステムに用いることを特徴とする遠隔操作装置。
【請求項３】
プロセッサを、
請求項１に記載のシステムに用いる前記第１ないし第４手段の何れかとして機能させるための制御プログラム。
【手続補正２】
【補正対象書類名】明細書
【補正対象項目名】０００６
【補正方法】変更
【補正の内容】
【０００６】
上記課題を解決するため本発明のシステムは、無線通信手段を有する電子機器と、前記電子機器の端末アドレスを設定する第１手段と、前記電子機器を赤外線信号により直接遠隔操作する第２手段と、を有する非携帯端末の遠隔操作装置と、前記遠隔操作装置から前記端末アドレスを取得する第３手段と、前記端末アドレスに該当する前記電子機器を無線通信により遠隔操作する第４手段と、を有する携帯端末と、を備えることを特徴とする。
【手続補正３】
【補正対象書類名】明細書
【補正対象項目名】０００１
【補正方法】変更
【補正の内容】
【０００１】
本発明は、携帯端末が、電子機器を赤外線信号により直接遠隔操作する非携帯端末の遠隔操作装置から取得した端末アドレスに該当する電子機器を無線通信により遠隔操作するシステムに関する。
【手続補正４】
【補正対象書類名】明細書
【補正対象項目名】０００４
【補正方法】変更
【補正の内容】
【０００４】
ところで、上記の方法は、携帯端末が、電子機器を赤外線信号により直接遠隔操作する非携帯端末の遠隔操作装置から取得した端末アドレスに該当する電子機器を無線通信により遠隔操作することができないと言った問題があった。
【手続補正５】
【補正対象書類名】明細書
【補正対象項目名】０００５
【補正方法】変更
【補正の内容】
【０００５】
そこで、本発明の目的は、携帯端末が、電子機器を赤外線信号により直接遠隔操作する非携帯端末の遠隔操作装置から取得した端末アドレスに該当する電子機器を無線通信により遠隔操作することができるシステムを提供することにある。
【手続補正６】
【補正対象書類名】明細書
【補正対象項目名】０００７
【補正方法】変更
【補正の内容】
【０００７】
本発明によれば、システムは、携帯端末が、電子機器を赤外線信号により直接遠隔操作する非携帯端末の遠隔操作装置から取得した端末アドレスに該当する電子機器を無線通信により遠隔操作することができる。